(57)【要約】【課題】下がり勾配の途中で勾配が変化する異種勾配屋根において、強度及び設計上の無理がなく、斜線制限に対応しつつ、下がり勾配が途中で変化する上側屋根パネルと下側屋根パネルとの接合部を支持構造体に安定的に支持させることを可能とする。【解決手段】互いに接合された下がり勾配の上側屋根パネル１と下側屋根パネル２との接合部に、これら上側屋根パネル１と下側屋根パネル２とによる下がり勾配の勾配変化部３を有し、前記接合部を支持構造体４に支持させる異種勾配屋根において、支持構造体４の上端面に配置され、上側屋根パネル１の勾配方向下端部における下面が載せられる傾斜上面５ａを有する上側屋根パネル結合桁５と、支持構造体４の上端部における外側面に配置され、下側屋根パネル２の勾配方向上端部における下面が載せられる傾斜上面６ａを有する下側屋根パネル結合桁６と、を備える。【選択図】図２
2020143521.tif 000002
【特許請求の範囲】
【請求項１】
互いに接合された下がり勾配の上側屋根パネルと下側屋根パネルとの接合部に、これら上側屋根パネルと下側屋根パネルとによる下がり勾配の勾配変化部を有し、前記接合部を支持構造体に支持させる異種勾配屋根において、
前記支持構造体の上端面に配置され、前記上側屋根パネルの勾配方向下端部における下面が載せられる傾斜上面を有する上側屋根パネル結合桁と、
前記支持構造体の上端部における外側面に配置され、前記下側屋根パネルの勾配方向上端部における下面が載せられる傾斜上面を有する下側屋根パネル結合桁と、
を備えることを特徴とする下がり勾配が途中で変化する異種勾配屋根。
【請求項２】
請求項１に記載の下がり勾配が途中で変化する異種勾配屋根において、
前記勾配変化部は、
緩勾配の前記上側屋根パネルと急勾配の前記下側屋根パネルとの接合部に形成される、前記下がり勾配の緩勾配から急勾配への変更部位となる中間凸部、
又は、急勾配の前記上側屋根パネルと緩勾配の前記下側屋根パネルとの接合部に形成される、前記下がり勾配の急勾配から緩勾配への変更部位となる中間凹部であることを特徴とする下がり勾配が途中で変化する異種勾配屋根。
【請求項３】
請求項２に記載の下がり勾配が途中で変化する異種勾配屋根において、
前記支持構造体の上方に配置されるとともに、前記上側屋根パネルの勾配方向下端部と前記下側屋根パネルの勾配方向上端部との間に配置され、前記中間凸部又は前記中間凹部が形成された棟木、
を備えることを特徴とする下がり勾配が途中で変化する異種勾配屋根。
【請求項４】
請求項３に記載の下がり勾配が途中で変化する異種勾配屋根において、
前記棟木は、
前記上側屋根パネルの勾配方向下端部に接合される上側屋根パネル結合棟木と、
前記上側屋根パネル結合棟木における下側屋根パネル側面に接合されるとともに、前記下側屋根パネルの勾配方向上端部に接合される下側屋根パネル結合棟木と、
からなることを特徴とする下がり勾配が途中で変化する異種勾配屋根。
【請求項５】
請求項４に記載の下がり勾配が途中で変化する異種勾配屋根において、
前記上側屋根パネル結合棟木と前記下側屋根パネル結合棟木との接合状態における頂点部分により前記中間凸部が形成されていることを特徴とする下がり勾配が途中で変化する異種勾配屋根。
【請求項６】
請求項４に記載の下がり勾配が途中で変化する異種勾配屋根において、
前記上側屋根パネル結合棟木と前記下側屋根パネル結合棟木との接合状態における谷底部分により前記中間凹部が形成されていることを特徴とする下がり勾配が途中で変化する異種勾配屋根。
【請求項７】
請求項１から６のいずれか一項に記載の下がり勾配が途中で変化する異種勾配屋根において、
前記上側屋根パネル結合桁は、前記支持構造体の上端面に接着剤で接着固定され、
前記上側屋根パネルの勾配方向下端部における下面は、前記上側屋根パネル結合桁の前記傾斜上面に接着剤で接着固定され、
前記上側屋根パネルの勾配方向下端部に上方から貫通して下方に突出するようにして組み付けられたフック金物が、前記支持構造体の上端部における側面に釘止め固定されていることを特徴とする下がり勾配が途中で変化する異種勾配屋根。
【請求項８】
請求項１から７のいずれか一項に記載の下がり勾配が途中で変化する異種勾配屋根において、
前記下側屋根パネル結合桁は、前記支持構造体の上端部における外側面に接着剤で接着固定され、
前記下側屋根パネルの勾配方向上端部における下面は、前記下側屋根パネル結合桁の傾斜上面に接着剤で接着固定され、
前記下側屋根パネルの勾配方向上端部に上方から貫通して下方に突出するようにして組み付けられたフック金物が、前記下側屋根パネル結合桁に釘止め固定されていることを特徴とする下がり勾配が途中で変化する異種勾配屋根。
【請求項９】
請求項７に記載の下がり勾配が途中で変化する異種勾配屋根において、
上方より釘が前記上側屋根パネルの勾配方向下端部に位置する芯材から前記上側屋根パネル結合桁を貫通して前記支持構造体の上端部に位置する芯材まで打ち込まれていることを特徴とする下がり勾配が途中で変化する異種勾配屋根。
【請求項１０】
請求項８に記載の下がり勾配が途中で変化する異種勾配屋根において、
上方より釘が前記下側屋根パネルの勾配方向上端部に位置する芯材から前記支持構造体の上端部に位置する芯材まで打ち込まれていることを特徴とする下がり勾配が途中で変化する異種勾配屋根。
【請求項１１】
請求項４に記載の下がり勾配が途中で変化する異種勾配屋根において、
前記上側屋根パネル結合棟木と前記下側屋根パネル結合棟木は、
互いに接着剤で接着固定されるとともに、
前記上側屋根パネルの勾配方向下端部と前記下側屋根パネルの勾配方向上端部とに接着剤で接着固定され、
前記上側屋根パネル結合棟木及び前記下側屋根パネル結合棟木に対し、釘が互いに交差して打ち込まれていることを特徴とする下がり勾配が途中で変化する異種勾配屋根。
【発明の詳細な説明】
【技術分野】
【０００１】
本発明は、下がり勾配の途中で勾配が変化する異種勾配屋根に関する。
【背景技術】
【０００２】
パネル工法によって構築される建物において、屋根パネルと壁パネルとの結合構造が特許文献１に提案されている。
特許文献１には、従来技術として、壁パネルの上端に、上側屋根パネルと下側屋根パネルを接合するとともに、上面が屋根の勾配と同じに傾斜した結合桁を介して結合する構造が開示されている。
そして、特許文献１の提案は、同一勾配の下側屋根パネルの上側屋根パネルとの接合部の桟材に、壁パネル上端が係合する切欠き部を加工しておき、その切欠き部に壁パネル上端を係合させて接着剤により接着固定するとともに、屋根パネルの上面からスクリュー釘を壁パネル上端の桟材に打ち込む結合構造である。
【０００３】
また、下がり勾配の途中で勾配が変わる中間凹部を有する折れ屋根において、急勾配の上側屋根パネルと緩勾配の下側屋根パネルとの接合部を垂木支持材に支持させる継手構造が特許文献２に提案されている。
特許文献２の提案は、急勾配の上側屋根パネルと緩勾配の下側屋根パネルとの接合部を垂木支持材の上面に、金具を介して留め付けるもので、急勾配の上側屋根パネルと緩勾配の下側屋根パネルとの接合部に、金具が係合する切欠き部を加工しておき、その切欠き部に金具を係合させて、垂木支持材の上面に留め付ける継手構造である。
【先行技術文献】
【特許文献】
【０００４】
【特許文献１】特開平９−１８４２２９号公報
【特許文献２】特開２０１６−１９４２０８号公報
【発明の概要】
【発明が解決しようとする課題】
【０００５】
ところで、例えば都心部などでは、屋根に二段階の斜線制限が入ってくる場合がある。その斜線規制対応のため、例えば階高を下げたり、軒の出を少なくする、建物を隣地から離す等の対策が必要であり、その対策の一つとして、二段階の斜線制限に合わせて、下がり勾配の途中で勾配が変わる中間凸部を有する異種勾配屋根を採用する場合もある。
このような、中間凸部を有する異種勾配屋根においては、その緩勾配の上側屋根パネルと急勾配の下側屋根パネルとの接合部を、壁パネルの上端に結合する構造となる。
【０００６】
しかし、緩勾配の上側屋根パネルと急勾配の下側屋根パネルとの接合部を、特許文献１に開示の従来構造のように、壁パネルの上端に結合桁を介して結合する構造では、結合桁の上面に中間凸部に対応する頂点を形成する必要があり、その結合桁上面の頂点に合わせて、緩勾配の上側屋根パネルと急勾配の下側屋根パネルとを接合するのは製作誤差等により困難を伴うものとなってしまう。
【０００７】
また、緩勾配の上側屋根パネルと急勾配の下側屋根パネルとの接合部に、特許文献１・２の提案のように、壁パネル上端又は金具が係合する切欠き部を加工するのは、強度上の問題が考えられる。
このような問題は、急勾配の上側屋根パネルと緩勾配の下側屋根パネルとの接合部に中間凹部を有する異種勾配屋根についても同様にある。
【０００８】
本発明の課題は、下がり勾配の途中で勾配が変化する異種勾配屋根において、強度及び設計上の無理がなく、斜線制限に対応しつつ、上側屋根パネルと下側屋根パネルとの接合部を支持構造体に安定的に支持させることを可能とすることである。
【課題を解決するための手段】
【０００９】
以上の課題を解決するため、請求項１に記載の発明は、例えば図１から図４、図６から図１０に示すように、
互いに接合された上側屋根パネル１と下側屋根パネル２との接合部に、これら上側屋根パネル１と下側屋根パネル２とによる下がり勾配の勾配変化部３を有し、前記接合部を支持構造体４に支持させる異種勾配屋根において、
前記支持構造体４の上端面に配置され、前記上側屋根パネル１の勾配方向下端部における下面が載せられる傾斜上面５ａを有する上側屋根パネル結合桁５と、
前記支持構造体４の上端部における外側面に配置され、前記下側屋根パネル２の勾配方向上端部における下面が載せられる傾斜上面６ａを有する下側屋根パネル結合桁６と、
を備えることを特徴とする。
【００１０】
請求項１に記載の発明によれば、支持構造体４の上端面に配置した上側屋根パネル結合桁５の傾斜上面５ａに、上側屋根パネル１の勾配方向下端部における下面を載せ、支持構造体４の上端部における外側面に配置した下側屋根パネル結合桁６の傾斜上面６ａに、下側屋根パネル２の勾配方向上端部における下面を載せて、下がり勾配の勾配変化部３を有する異種勾配屋根を支持することができる。
したがって、下がり勾配の勾配変化部３を有する異種勾配屋根において、強度及び設計上の無理がなく、斜線制限に対応しつつ、上側屋根パネル１と下側屋根パネル２との接合部を支持構造体４に安定的に支持させることができる。
【００１１】
請求項２に記載の発明は、例えば図１から図４、図６から図１０に示すように、
請求項１に記載の下がり勾配が途中で変化する異種勾配屋根において、
前記勾配変化部は、
緩勾配の前記上側屋根パネル１と急勾配の前記下側屋根パネル２との接合部に形成される、前記下がり勾配の緩勾配から急勾配への変更部位となる中間凸部３、
又は、急勾配の前記上側屋根パネル１と緩勾配の前記下側屋根パネル２との接合部に形成される、前記下がり勾配の急勾配から緩勾配への変更部位となる中間凹部３であることを特徴とする。
【００１２】
請求項２に記載の発明によれば、支持構造体４の上端面に配置した上側屋根パネル結合桁５の傾斜上面５ａに、緩勾配の上側屋根パネル１の勾配方向下端部における下面を載せ、支持構造体４の上端部における外側面に配置した下側屋根パネル結合桁６の傾斜上面６ａに、急勾配の下側屋根パネル２の勾配方向上端部における下面を載せて、下がり勾配の途中で勾配が変わる中間凸部３を有する異種勾配屋根を支持することができる。
したがって、緩勾配から急勾配へと勾配が変わる中間凸部３を有する異種勾配屋根において、強度及び設計上の無理がなく、斜線制限に対応しつつ、緩勾配の上側屋根パネル１と急勾配の下側屋根パネル２との接合部を支持構造体４に安定的に支持させることができる。
又は、支持構造体４の上端面に配置した上側屋根パネル結合桁５の傾斜上面５ａに、急勾配の上側屋根パネル１の勾配方向下端部における下面を載せ、支持構造体４の上端部における外側面に配置した下側屋根パネル結合桁６の傾斜上面６ａに、緩勾配の下側屋根パネル２の勾配方向上端部における下面を載せて、下がり勾配の途中で勾配が変わる中間凹部３を有する異種勾配屋根を支持することができる。
したがって、急勾配から緩勾配へと勾配が変わる中間凹部３を有する異種勾配屋根において、強度及び設計上の無理がなく、斜線制限に対応しつつ、急勾配の上側屋根パネル１と緩勾配の下側屋根パネル２との接合部を支持構造体４に安定的に支持させることができる。
【００１３】
請求項３に記載の発明は、例えば図１から図４、図６から図１０に示すように、
請求項２に記載の下がり勾配が途中で変化する異種勾配屋根において、
前記支持構造体４の上方に配置されるとともに、前記上側屋根パネル１の勾配方向下端部と前記下側屋根パネル２の勾配方向上端部との間に配置され、前記中間凸部３又は中間凹部３が形成された棟木７・８、
を備えることを特徴とする。
【００１４】
請求項３に記載の発明によれば、緩勾配の上側屋根パネル１の勾配方向下端部と急勾配の下側屋根パネル２の勾配方向上端部との間に棟木７・８を配置して、緩勾配から急勾配へと勾配が変わる中間凸部３を形成することができる。
そして、緩勾配の上側屋根パネル１と急勾配の下側屋根パネル２との接合部が支持構造体４の上方であっても製作誤差が生じにくく、中間凸部３を容易に形成できる。
又は、急勾配の上側屋根パネル１の勾配方向下端部と緩勾配の下側屋根パネル２の勾配方向上端部との間に棟木７・８を配置して、急勾配から緩勾配へと勾配が変わる中間凹部３を形成することができる。
そして、急勾配の上側屋根パネル１と緩勾配の下側屋根パネル２との接合部が支持構造体４の上方であっても製作誤差が生じにくく、中間凹部３を容易に形成できる。
【００１５】
請求項４に記載の発明は、例えば図１から図４、図６から図１０に示すように、
請求項３に記載の下がり勾配が途中で変化する異種勾配屋根において、
前記棟木は、
前記上側屋根パネル１の勾配方向下端部に接合される上側屋根パネル結合棟木７と、
前記上側屋根パネル結合棟木７における下側屋根パネル側面に接合されるとともに、前記下側屋根パネル２の勾配方向上端部に接合される下側屋根パネル結合棟木８と、
からなることを特徴とする。
【００１６】
請求項４に記載の発明によれば、緩勾配の上側屋根パネル１の勾配方向下端部に上側屋根パネル結合棟木７を接合し、上側屋根パネル結合棟木７における下側屋根パネル側面と、急勾配の下側屋根パネル２の勾配方向上端部に下側屋根パネル結合棟木８を接合して、緩勾配から急勾配へと勾配が変わる中間凸部３を形成することができる。
【００１７】
請求項５に記載の発明は、例えば図１から図４、図６から図９に示すように、
請求項４に記載の下がり勾配が途中で変化する異種勾配屋根において、
前記上側屋根パネル結合棟木７と前記下側屋根パネル結合棟木８との接合状態における頂点部分により前記中間凸部３が形成されていることを特徴とする。
【００１８】
請求項５に記載の発明によれば、緩勾配の上側屋根パネル１と急勾配の下側屋根パネル２との間において、上側屋根パネル結合棟木７と下側屋根パネル結合棟木８との接合状態における頂点部分によって、緩勾配から急勾配へと勾配が変わる中間凸部３を形成することができる。
そして、上側屋根パネル結合棟木７と下側屋根パネル結合棟木８のいずれかに中間凸部を形成する手間を省くことができる。
【００１９】
請求項６に記載の発明は、例えば図１、図２、図１０に示すように、
請求項４に記載の下がり勾配が途中で変化する異種勾配屋根において、
前記上側屋根パネル結合棟木７と前記下側屋根パネル結合棟木８との接合状態における谷底部分により前記中間凹部３が形成されていることを特徴とする。
【００２０】
請求項６に記載の発明によれば、急勾配の上側屋根パネル１と緩勾配の下側屋根パネル２との間において、上側屋根パネル結合棟木７と下側屋根パネル結合棟木８との接合状態における谷底部分によって、急勾配から緩勾配へと勾配が変わる中間凹部３を形成することができる。
そして、上側屋根パネル結合棟木７と下側屋根パネル結合棟木８のいずれかに中間凹部を形成する手間を省くことができる。
【００２１】
請求項７に記載の発明は、例えば図１から図６に示すように、
請求項１から６のいずれか一項に記載の下がり勾配が途中で変化する異種勾配屋根において、
前記上側屋根パネル結合桁５は、前記支持構造体４の上端面に接着剤で接着固定され、
前記上側屋根パネル１の勾配方向下端部における下面は、前記上側屋根パネル結合桁５の前記傾斜上面５ａに接着剤で接着固定され、
前記上側屋根パネル１の勾配方向下端部に上方から貫通して下方に突出するようにして組み付けられたフック金物１１が、前記支持構造体４の上端部における側面に釘１３止め固定されていることを特徴とする。
【００２２】
請求項７に記載の発明によれば、上側屋根パネル結合桁５を支持構造体４の上端面に接着剤で接着し、上側屋根パネル１の勾配方向下端部における下面を上側屋根パネル結合桁５の傾斜上面５ａに接着剤で接着し、上側屋根パネル１の勾配方向下端部に上方から貫通して下方に突出するようにして組み付けられたフック金物１１を支持構造体４の上端部の側面に釘１３止めして、支持構造体４の上端部に上側屋根パネル結合桁５を介して上側屋根パネル１の勾配方向下端部を強固に固定することができる。
【００２３】
請求項８に記載の発明は、例えば図１から図６に示すように、
請求項１から７のいずれか一項に記載の下がり勾配が途中で変化する異種勾配屋根において、
前記下側屋根パネル結合桁６は、前記支持構造体４の上端部における外側面に接着剤で接着固定され、
前記下側屋根パネル２の勾配方向上端部における下面は、前記下側屋根パネル結合桁６の傾斜上面６ａに接着剤で接着固定され、
前記下側屋根パネル２の勾配方向上端部に上方から貫通して下方に突出するようにして組み付けられたフック金物１２が、前記下側屋根パネル結合桁６に釘１４止め固定されていることを特徴とする。
【００２４】
請求項８に記載の発明によれば、下側屋根パネル結合桁６を支持構造体４の上端部における外側面に接着剤で接着し、下側屋根パネル２の勾配方向上端部における下面を下側屋根パネル結合桁６の傾斜上面６ａに接着剤で接着し、下側屋根パネル２の勾配方向上端部に上方から貫通して下方に突出するようにして組み付けられたフック金物１２を下側屋根パネル結合桁６に釘１４止めして、支持構造体４の上端部に下側屋根パネル結合桁６を介して下側屋根パネル２の勾配方向上端部を強固に固定することができる。
【００２５】
請求項９に記載の発明は、例えば図１から図４に示すように、
請求項７に記載の下がり勾配が途中で変化する異種勾配屋根において、
上方より釘１５が前記上側屋根パネル１の勾配方向下端部に位置する芯材１ｃから前記上側屋根パネル結合桁５を貫通して前記支持構造体４の上端部に位置する芯材４ｃまで打ち込まれていることを特徴とする。
【００２６】
請求項９に記載の発明によれば、上方より釘１５を、上側屋根パネル１の勾配方向下端部に位置する芯材１ｃから上側屋根パネル結合桁５を貫通して支持構造体４の上端部に位置する芯材４ｃまで打ち込むことで、支持構造体４の上端部に上側屋根パネル結合桁５を介して上側屋根パネル１の勾配方向下端部をより強固に固定することができる。
【００２７】
請求項１０に記載の発明は、例えば図１から図４、図６から図１０に示すように、
請求項８に記載の下がり勾配が途中で変化する異種勾配屋根において、
上方より釘１６が前記下側屋根パネル２の勾配方向上端部に位置する芯材２ｃから前記支持構造体４の上端部に位置する芯材４ｃまで打ち込まれていることを特徴とする。
【００２８】
請求項１０に記載の発明によれば、上方より釘１６を、下側屋根パネル２の勾配方向上端部に位置する芯材２ｃから支持構造体４の上端部に位置する芯材４ｃまで打ち込むことで、支持構造体４の上端部に下側屋根パネル２の勾配方向上端部を強固に固定することができる。
【００２９】
請求項１１に記載の発明は、例えば図１から図４に示すように、
請求項４に記載の下がり勾配が途中で変化する異種勾配屋根において、
前記上側屋根パネル結合棟木７と前記下側屋根パネル結合棟木８は、
互いに接着剤で接着固定されるとともに、
前記上側屋根パネル１の勾配方向下端部と前記下側屋根パネル２の勾配方向上端部とに接着剤で接着固定され、
前記上側屋根パネル結合棟木７及び前記下側屋根パネル結合棟木８に対し、釘１７が互いに交差して打ち込まれていることを特徴とする。
【００３０】
請求項１１に記載の発明によれば、上側屋根パネル結合棟木７と下側屋根パネル結合棟木８を、互いに接着剤で固定するとともに、上側屋根パネル１の勾配方向下端部と下側屋根パネル２の勾配方向上端部とに接着剤で接着して、上側屋根パネル結合棟木７及び下側屋根パネル結合棟木８に対し、釘１７を互いに交差して打ち込むことで、上側屋根パネル１の勾配方向下端部と下側屋根パネル２の勾配方向上端部を、上側屋根パネル結合棟木７と下側屋根パネル結合棟木８を介して強固に固定することができる。
【発明の効果】
【００３１】
本発明によれば、下がり勾配の途中で勾配が変化する異種勾配屋根において、強度及び設計上の無理がなく、斜線制限に対応しつつ、勾配変化部を境に上側屋根パネルと下側屋根パネルとの接合部を支持構造体に安定的に支持させることができる。
【図面の簡単な説明】
【００３２】
【図１】本発明に係る下がり勾配の途中に勾配変化部（中間凸部）を有する異種勾配屋根を含む屋根全体の一例を示す概略正面図である。
【図２】本発明を適用した異種勾配屋根の一例を示す概略平面図である。
【図３】図１の中間凸部を含む周辺部を示す拡大図である。
【図４】図３の中間凸部及び周辺部のフック金物及び釘による固定を示した図である。
【図５】図４のフック金物の概略斜視図である。
【図６】図４のフック金物による固定部分を示す概略斜視図である。
【図７】実施形態２を示すもので、図２と同様の拡大図である。
【図８】実施形態３を示すもので、図２と同様の拡大図である。
【図９】実施形態４を示すもので、図２と同様の拡大図である。
【図１０】本発明に係る下がり勾配の途中に勾配変化部として中間凹部を有する異種勾配屋根の要部を示すもので、図２と同様の図である。
【発明を実施するための形態】
【００３３】
以下、図面を参照して本発明の実施の形態について説明する。
（実施形態１）
図１は本発明に係る下がり勾配の途中に勾配変化部である中間凸部を有する異種勾配屋根を含む屋根全体の一例としての概略構成を示すもので、図示のように、切妻屋根において、左側の屋根Ｌは、棟部から一様な下がり勾配屋根で、右側の屋根Ｒは、棟部から下がり勾配の途中で勾配が変わる中間凸部３を有する異種勾配屋根１・２となっている。
【００３４】
すなわち、棟部から一様な下がり勾配の左側の屋根Ｌは、軒先側が外壁パネル９ａで支持されている。
また、右側の屋根Ｒは、棟部から緩勾配の上側屋根パネル１とその勾配方向下側に連続する急勾配の下側屋根パネル２との接合部に中間凸部３を有している。そして、右側の屋根Ｒは、この中間凸部３を含む接合部が、簡略化して示した建物内部の天井パネルから上方に突出する壁パネル４に支持されて、下側屋根パネル２の軒先側が外壁パネル９ａで支持されている。
なお、上側屋根パネル１及び下側屋根パネル２の妻側が、図２に示すように、外壁パネル９ｂで支持されて、上側屋根パネル１及び下側屋根パネル２の妻側と平行する中間部が、外壁パネル９ｂと平行する壁パネル１０で支持されている。
【００３５】
図３は図１の中間凸部３を含む周辺部を拡大して示すもので、図示のように、軒先側の外壁パネル９ａと平行する壁パネル４の上端面に上側屋根パネル結合桁５が配置されて、壁パネル４の上端部の外側面に下側屋根パネル結合桁６が配置されている。
【００３６】
上側屋根パネル結合桁５は、壁パネル４の上端面に接着剤により接着固定されて、緩勾配（図示例では１／３勾配）の上側屋根パネル１の勾配方向下端部における下面を載せる傾斜上面５ａを有している。本実施形態における上側屋根パネル結合桁５は、傾斜上面５ａを有する断面四角形の桁材で、台形を横に寝かした状態である。なお、上側屋根パネル結合桁５は、断面直角三角形でもよく、傾斜上面５ａを有する断面多角形の桁材であればよい。
設計上、上側屋根パネル結合桁５の傾斜上面５ａにおいて、図示のように、支持構造体である壁パネル４のモジュール芯Ｃ１に、上側屋根パネル１の勾配方向下端部の先端Ｐ１が一致している。
【００３７】
下側屋根パネル結合桁６は、壁パネル４の上端部における外側面に接着剤により接着固定されて、急勾配（図示例では２／３勾配）の下側屋根パネル２の勾配方向上端部における下面を載せる傾斜上面６ａを有している。本実施形態における下側屋根パネル結合桁６は、傾斜上面６ａを有する断面直角三角形の桁材である。なお、下側屋根パネル結合桁６は、断面が他の三角形でもよく、傾斜上面６ａを有する断面多角形の桁材であればよい。
設計上、下側屋根パネル結合桁６の傾斜上面６ａにおいて、図示のように、壁パネル４の外側面の延長線Ｃ２に、下側屋根パネル２の勾配方向上端部の先端Ｐ２が一致しており、図示例では、その下側屋根パネル２の勾配方向上端部の先端Ｐ２が壁パネル４の上端面の外側端に一致している。
【００３８】
壁パネル４は、工場において、上側屋根パネル結合桁５を接着固定した状態で、建築現場に搬送される。
下側屋根パネル結合桁６は、現場において、壁パネル４に接着固定する。
【００３９】
そして、上側屋根パネル１の勾配方向下端部と下側屋根パネル２の勾配方向上端部との間に、中間凸部３を形成する棟木（結合棟木）７・８が配置されている。
すなわち、上側屋根パネル１の勾配方向下端部における下面に上側屋根パネル結合棟木７が接着剤により接着固定されて、下側屋根パネル２の勾配方向上端部における上面に下側屋根パネル結合棟木８が接着剤により接着固定されている。
【００４０】
上側屋根パネル結合棟木７は、上側屋根パネル１の上面に連続する同一勾配の上面を有している。本実施形態における上側屋根パネル結合棟木７は、断面四角形の棟木材である。なお、上側屋根パネル結合棟木７は、断面直角三角形でもよく、断面多角形の棟木材であればよい。
【００４１】
下側屋根パネル結合棟木８は、下側屋根パネル２の上面に連続する同一勾配の上面を有している。本実施形態における下側屋根パネル結合棟木８は、断面四角形の棟木材である。なお、下側屋根パネル結合棟木８は、断面直角三角形でもよく、断面多角形の棟木材であればよい。
【００４２】
そして、上側屋根パネル結合棟木７及び下側屋根パネル結合棟木８は、互いに接合する垂直面７ｂ・８ｂを有している。
設計上、この垂直面７ｂ・８ｂは、接合状態において、図示のように、壁パネル４の外側面の延長線Ｃ２と同一垂直面上の位置関係にあって、上側屋根パネル結合棟木７と下側屋根パネル結合棟木８との分割線（面）となっている。
なお、上側屋根パネル結合棟木７及び下側屋根パネル結合棟木８の下端部と、上側屋根パネル結合桁５との間には、図示のように、隙間が形成されている。この隙間により、製作時の誤差吸収と、組立時の誤差吸収が図れる。
【００４３】
図４は図３の中間凸部３及び周辺部のフック金物１１・１２及びスクリュー釘１３・１４・１５・１６・１７による固定を示したもので、図示のように、上側屋根パネル１の勾配方向下端部側に、上方から面材１ａを貫通して桟材１ｂに跨る二股状のフック金物１１が組み付けられている。
フック金物１１は、図５に示すように、一対の二股状固定片１１ａを有しており、この二股状固定片１１ａに取付穴１１ｂが形成されている。
【００４４】
上側屋根パネル１は、工場において、上側屋根パネル結合棟木７を接着固定し、フック金物１１を通す孔を加工して、建築現場に搬送される。
フック金物１１は、現場で組み付けられる。
【００４５】
同様に、下側屋根パネル２の勾配方向上端部側にも、上方から面材２ａを貫通して桟材２ｂに跨る二股状のフック金物１２が組み付けられている。
フック金物１２も、図５に示すように、一対の二股状固定片１２ａを有しており、この二股状固定片１２ａに取付穴１２ｂが形成されている。
【００４６】
下側屋根パネル２は、工場において、下側屋根パネル結合棟木８を接着固定し、フック金物１２を通す孔を加工して、建築現場に搬送される。
フック金物１２は、現場で組み付けられる。
【００４７】
次に、建築現場において、図３に示したように、壁パネル４の上端面に接着固定された上側屋根パネル結合桁５の傾斜上面５ａに、上側屋根パネル１の勾配方向下端部における下面を接着剤により接着固定する。
このとき、上側屋根パネル１に組み付けられたフック金物１１の二股状固定片１１ａが、図４及び図６に示すように、上側屋根パネル結合桁５及び壁パネル４の図示左側面に当接する。
【００４８】
また、壁パネル４の上端部の外側面に接着固定された下側屋根パネル結合桁６の傾斜上面６ａに、下側屋根パネル２の勾配方向上端部における下面を接着剤により接着固定する。
このとき、図４に示すように、下側屋根パネル２に組み付けられたフック金物１２の二股状固定片１２ａが、下側屋根パネル結合桁６の図示右側面に当接する。
【００４９】
同時に、上側屋根パネル１に接着固定された上側屋根パネル結合棟木７と、下側屋根パネル２に接着固定された下側屋根パネル結合棟木８とを、互いに接合する垂直面７ｂ・８ｂで接着剤により接着固定する。
この互いに接着した垂直面７ｂ・８ｂの頂部により、緩勾配の上側屋根勾配と急勾配の下側屋根勾配とが交差する中間凸部３を形成している。
設計上、図３に示したように、緩勾配の上側屋根パネル１の上面の延長線Ｌ１と、急勾配の下側屋根パネル２の上面の延長線Ｌ２との交点が、棟線頂部Ｔによる中間凸部３となっている。
【００５０】
そして、図４及び図６に示すように、上側屋根パネル１の勾配方向下端部に組み付けられたフック金物１１の二股状固定片１１ａの取付穴１１ｂからスクリュー釘１３を、壁パネル４の上端部の左側面の面材４ａから桟材４ｂまで打ち込む。
【００５１】
また、下側屋根パネル２の勾配方向上端部に組み付けられたフック金物１２の二股状固定片１２ａの取付穴１２ｂからスクリュー釘１４を、下側屋根パネル結合桁６の図示右側面に打ち込む。
【００５２】
さらに、上方よりスクリュー釘１５を、上側屋根パネル１の勾配方向下端部に位置する上面の面材１ａから芯材１ｃ及び上側屋根パネル結合桁５を貫通して壁パネル４の上端部の芯材４ｃまで打ち込む。
【００５３】
同様に、上方よりスクリュー釘１６を、下側屋根パネル２の勾配方向上端部に位置する上面の面材２ａから芯材２ｃを貫通して壁パネル４の上端部の芯材４ｃまで打ち込む。
【００５４】
そして、互いに垂直面７ｂ・８ｂで接着された上側屋根パネル結合棟木７と下側屋根パネル結合棟木８に、上方から二本のスクリュー釘１７を互いに交差して打ち込む。
つまり、図示左側からスクリュー釘１７を、上側屋根パネル１の勾配方向下端部に位置する上面の面材１ａ端部より上側屋根パネル結合棟木７から下側屋根パネル結合棟木８に打ち込む。
また、図示右側からスクリュー釘１７を、下側屋根パネル結合棟木８より上側屋根パネル結合棟木７を貫通して上側屋根パネル１の勾配方向下端部に位置する芯材１ｃまで打ち込む。
【００５５】
以上、実施形態によれば、壁パネル４の上端面に配置した上側屋根パネル結合桁５の傾斜上面５ａに、緩勾配の上側屋根パネル１の勾配方向下端部における下面を載せて、壁パネル４の上端部における外側面に配置した下側屋根パネル結合桁６の傾斜上面６ａに、急勾配の下側屋根パネル２の勾配方向上端部における下面を載せて、下がり勾配の途中で勾配が変わる中間凸部３を有する異種勾配屋根を支持することができる。
したがって、緩勾配から急勾配へと勾配が変わる中間凸部３を有する異種勾配屋根において、強度及び設計上の無理がなく、斜線制限に対応しつつ、緩勾配の上側屋根パネル１と急勾配の下側屋根パネル２との接合部を壁パネル４に安定的に支持させることができる。
【００５６】
そして、緩勾配の上側屋根パネル１の勾配方向下端部と急勾配の下側屋根パネル２の勾配方向上端部との間に棟木７・８を配置して、緩勾配から急勾配へと勾配が変わる中間凸部３を形成することができる。
すなわち、緩勾配の上側屋根パネル１の勾配方向下端部に上側屋根パネル結合棟木７を接合し、上側屋根パネル結合棟木７における下側屋根パネル側面と、急勾配の下側屋根パネル２の勾配方向上端部に下側屋根パネル結合棟木８を接合して、緩勾配から急勾配へと勾配が変わる中間凸部３を形成することができる。
【００５７】
しかも、緩勾配の上側屋根パネル１と急勾配の下側屋根パネル２との接合部が壁パネル４の上方であっても製作誤差が生じにくく、中間凸部３を容易に形成できる。
【００５８】
さらに、緩勾配の上側屋根パネル１と急勾配の下側屋根パネル２との間において、上側屋根パネル結合棟木７と下側屋根パネル結合棟木８との接合状態における垂直面７ｂ・８ｂの頂点部分によって、緩勾配から急勾配へと勾配が変わる中間凸部３を形成することができる。
また、設計上、上側屋根パネル結合棟木７と下側屋根パネル結合棟木８との垂直面７ｂ・８ｂによる分割線（面）が、壁パネル４の外側面の延長線Ｃ２上に一致しているため、上側屋根パネル結合棟木７と下側屋根パネル結合棟木８の勾配が変わっても、棟木の納まりの変更をしないで済む。
そして、上側屋根パネル結合棟木７と下側屋根パネル結合棟木８のいずれかに中間凸部を形成する手間を省くことができる。
【００５９】
また、上側屋根パネル結合桁５を壁パネル４の上端面に接着剤で接着し、上側屋根パネル１の勾配方向下端部における下面を上側屋根パネル結合桁５の傾斜上面５ａに接着剤で接着し、上側屋根パネル１の勾配方向下端部に上方から貫通して下方に突出するように組み付けられたフック金物１１を壁パネル４の上端部における側面にスクリュー釘１３により固定して、壁パネル４の上端部に上側屋根パネル結合桁５を介して上側屋根パネル１の勾配方向下端部を強固に固定することができる。
【００６０】
同様に、下側屋根パネル結合桁６を壁パネル４の上端部における外側面に接着剤で接着し、下側屋根パネル２の勾配方向上端部における下面を下側屋根パネル結合桁６の傾斜上面６ａに接着剤で接着し、下側屋根パネル２の勾配方向上端部に上方から貫通して下方に突出するように組み付けられたフック金物１２を下側屋根パネル結合桁６にスクリュー釘１４により固定して、壁パネル４の上端部に下側屋根パネル結合桁６を介して下側屋根パネル２の勾配方向上端部を強固に固定することができる。
【００６１】
さらに、上方よりスクリュー釘１５を、上側屋根パネル１の勾配方向下端部に位置する芯材１ｃから上側屋根パネル結合桁５を貫通して壁パネル４の上端部に位置する芯材４ｃまで打ち込むことで、壁パネル４の上端部に上側屋根パネル結合桁５を介して上側屋根パネル１の勾配方向下端部をより強固に固定することができる。
【００６２】
同様に、上方よりスクリュー釘１６を、下側屋根パネル２の勾配方向上端部に位置する芯材２ｃから壁パネル４の上端部に位置する芯材４ｃまで打ち込むことで、壁パネル４の上端部に下側屋根パネル２の勾配方向上端部を強固に固定することができる。
【００６３】
そして、上側屋根パネル結合棟木７と下側屋根パネル結合棟木８を、互いに垂直面７ｂ・８ｂにおいて接着剤で固定するとともに、上側屋根パネル１の勾配方向下端部と下側屋根パネル２の勾配方向上端部とに接着剤で接着して、上側屋根パネル結合棟木７及び下側屋根パネル結合棟木８を、二本のスクリュー釘１７を互いに交差して打ち込むことで、上側屋根パネル１の勾配方向下端部と下側屋根パネル２の勾配方向上端部を、上側屋根パネル結合棟木７と下側屋根パネル結合棟木８を介して強固に固定することができる。
【００６４】
（実施形態２）
図７は実施形態２を示すもので、この実施形態２は、急勾配（１／１勾配）の下側屋根パネル２２として、その勾配に対応した下側屋根パネル結合桁２６と、下側屋根パネル結合棟木２８と、上側屋根パネル結合棟木２７と用いる点が前述した実施形態１と異なっている。
【００６５】
すなわち、図示のように、１／１勾配の下側屋根パネル２２としたことで、その１／１勾配に対応した下側屋根パネル結合桁２６及び下側屋根パネル結合棟木２８として、その下側屋根パネル結合棟木２８に対応した上側屋根パネル結合棟木２７としている。
そして、下側屋根パネル結合棟木２８の上面に、緩勾配（１／３勾配）の上側屋根勾配と急勾配（１／１勾配）の下側屋根勾配とが交差する中間凸部３を形成している。
【００６６】
設計上、前述した実施形態１と同様、上側屋根パネル結合桁５の傾斜上面５ａにおいて、壁パネル４のモジュール芯Ｃ１に、上側屋根パネル１の勾配方向下端部の先端Ｐ１が一致している。上側屋根パネル結合棟木２７と下側屋根パネル結合棟木２８との分割線（面）は、壁パネル４の外側面の延長線Ｃ２と同一垂直面上に位置する垂直面２７ｂ・２８ｂとなっている。
しかし、緩勾配の上側屋根パネル１の上面の延長線Ｌ１と急勾配の下側屋根パネル２の上面の延長線Ｌ２との交点による棟線頂部Ｔである中間凸部３が、壁パネル４の外側面の延長線Ｃ２上になく、下側屋根パネル結合棟木２８の上面にある。
このように、上側屋根パネル結合棟木２７と下側屋根パネル結合棟木２８との垂直面２７ｂ・２８ｂによる分割線（面）が、勾配が変化する中間凸部３ではないため、緩勾配の上側屋根パネル１及び急勾配の下側屋根パネル２における上面に防水シートが施工された場合に、防水シートが切れにくい。
【００６７】
（実施形態３）
図８は実施形態３を示すもので、この実施形態３は、緩勾配（１／２勾配）の上側屋根パネル３１として、その勾配に対応した上側屋根パネル結合桁３５と、上側屋根パネル結合棟木３８と、下側屋根パネル結合棟木３７と用いる点が実施形態１と異なっている。
【００６８】
すなわち、図示のように、１／２勾配の上側屋根パネル３１としたことで、その１／２勾配に対応した上側屋根パネル結合桁３５及び上側屋根パネル結合棟木３７として、その上側屋根パネル結合棟木３７に対応した下側屋根パネル結合棟木３８としている。
そして、上側屋根パネル結合棟木３７及び下側屋根パネル結合棟木３７の互いに接着した垂直面３７ｂ・３８ｂの頂部により、緩勾配（１／２勾配）の上側屋根勾配と急勾配（２／３勾配）の下側屋根勾配とが交差する中間凸部３を形成している。
【００６９】
設計上、前述した実施形態１と同様、上側屋根パネル結合桁５の傾斜上面５ａにおいて、壁パネル４のモジュール芯Ｃ１に、上側屋根パネル３１の勾配方向下端部の先端Ｐ１が一致している。上側屋根パネル結合棟木３７と下側屋根パネル結合棟木３８との垂直面３７ｂ・３８ｂによる分割線（面）が、壁パネル４の外側面の延長線Ｃ２上に一致している。緩勾配の上側屋根パネル３１の上面の延長線Ｌ１と急勾配の下側屋根パネル２２の上面の延長線Ｌ２との交点による棟線頂部Ｔである中間凸部３が、壁パネル４の外側面の延長線Ｃ２上に位置している。
【００７０】
（実施形態４）
図９は実施形態４を示すもので、この実施形態４は、実施形態２と同様、急勾配（１／１勾配）の下側屋根パネル２２として、その勾配に対応した下側屋根パネル結合桁２６を用いて、実施形態３と同様、緩勾配（１／２勾配）の上側屋根パネル３１として、その勾配に対応した上側屋根パネル結合桁３５と、下側屋根パネル結合棟木３７とを用いるとともに、下側屋根パネル結合棟木４８を用いる点が実施形態１から３と異なっている。
【００７１】
すなわち、図示のように、１／１勾配の下側屋根パネル２２として、その１／１勾配に対応した下側屋根パネル結合桁２６とするとともに、１／２勾配の上側屋根パネル３１としたことで、その１／２勾配に対応した上側屋根パネル結合桁３５及び上側屋根パネル結合棟木３７として、その上側屋根パネル結合棟木３７に対応した下側屋根パネル結合棟木４８としている。
そして、下側屋根パネル結合棟木４８の上面に、緩勾配（１／２勾配）の上側屋根勾配と急勾配（１／１勾配）の下側屋根勾配とが交差する中間凸部３を形成している。
【００７２】
設計上、前述した実施形態２と同様、上側屋根パネル結合桁３５の傾斜上面３５ａにおいて、壁パネル４のモジュール芯Ｃ１に、上側屋根パネル３１の勾配方向下端部の先端Ｐ１が一致している。上側屋根パネル結合棟木３７と下側屋根パネル結合棟木４８との分割線（面）は、壁パネル４の外側面の延長線Ｃ２と同一垂直面上に位置する垂直面３７ｂ・４８ｂとなっている。緩勾配の上側屋根パネル３１の上面の延長線Ｌ１と急勾配の下側屋根パネル２２の上面の延長線Ｌ２との交点による棟線頂部Ｔである中間凸部３が、壁パネル４の外側面の延長線Ｃ２上になく、下側屋根パネル結合棟木４８の上面にある。
【００７３】
以上、実施形態１から４のように、下がり勾配の途中で勾配が変わる中間凸部３を有する異種勾配屋根の上側及び下側の屋根勾配に対応して、結合桁５・６・２６・３５と、結合棟木７・８・２７・２８・３７・３８・４８を使用することができる。
そして、結合棟木については、相手方の屋根がどの勾配でも、そのバリエーションに対応して結合棟木７・８・２７・２８・３７・３８・４８を適宜に選択して使用することができる。
【００７４】
（実施形態５）
図１０は本発明に係る下がり勾配の途中に勾配変化部として中間凹部を有する異種勾配屋根の要部を示すもので、図示のように、急勾配の上側屋根パネル１とその勾配方向下側に連続する緩勾配の下側屋根パネル２との接合部に中間凹部３を有している。
そして、前述した実施形態１と同様、壁パネル４の上端面に上側屋根パネル結合桁５が配置されて、壁パネル４の上端部の外側面に下側屋根パネル結合桁６が配置されている。
【００７５】
上側屋根パネル結合桁５は、壁パネル４の上端面に接着剤により接着固定されて、急勾配の上側屋根パネル１の勾配方向下端部における下面を載せる傾斜上面５ａを有している。
下側屋根パネル結合桁６は、壁パネル４の上端部における外側面に接着剤により接着固定されて、緩勾配の下側屋根パネル２の勾配方向上端部における下面を載せる傾斜上面６ａを有している。
【００７６】
また、実施形態１と同様、上側屋根パネル１の勾配方向下端部における下面に上側屋根パネル結合棟木７が接着剤により接着固定されて、下側屋根パネル２の勾配方向上端部における上面に下側屋根パネル結合棟木８が接着剤により接着固定されている。
【００７７】
上側屋根パネル結合棟木７は、上側屋根パネル１の上面に連続する同一勾配の上面を有している。
下側屋根パネル結合棟木８は、下側屋根パネル２の上面に連続する同一勾配の上面を有している。
実施形態１と同様、上側屋根パネル結合棟木７及び下側屋根パネル結合棟木８は、互いに接合する垂直面７ｂ・８ｂを有している。この垂直面７ｂ・８ｂは、接合状態において、図示のように、壁パネル４の外側面と同一垂直面上の位置関係にある。
【００７８】
そして、上側屋根パネル結合棟木７及び下側屋根パネル結合棟木８の上面による、接合状態の垂直面７ｂ・８ｂに沿って交差した谷底部により、急勾配の上側屋根勾配と緩勾配の下側屋根勾配とが交差する中間凹部３を形成している。
【００７９】
このような上側屋根パネル１、下側屋根パネル２、上側屋根パネル結合桁５、下側屋根パネル結合桁６、上側屋根パネル結合棟木７及び下側屋根パネル結合棟木８も、実施形態１と同様、フック金物１１・１２、釘１３・１４・１５・１６・１７で固定される。
【００８０】
設計上、前述した実施形態１と同様、上側屋根パネル結合桁５の傾斜上面５ａにおいて、壁パネル４のモジュール芯Ｃ１に、上側屋根パネル１の勾配方向下端部の先端Ｐ１が一致している。上側屋根パネル結合棟木７と下側屋根パネル結合棟木８との垂直面７ｂ・８ｂによる分割線（面）が、壁パネル４の外側面の延長線Ｃ２上に一致している。急勾配の上側屋根パネル１の上面の延長線Ｌ１と緩勾配の下側屋根パネル２の上面の延長線Ｌ２との交点による棟線谷底部Ｂである中間凹部３が、壁パネル４の外側面の延長線Ｃ２上に位置している。
【００８１】
以上、実施形態５によれば、壁パネル４の上端面に配置した上側屋根パネル結合桁５の傾斜上面５ａに、急勾配の上側屋根パネル１の勾配方向下端部における下面を載せて、壁パネル４の上端部における外側面に配置した下側屋根パネル結合桁６の傾斜上面６ａに、緩勾配の下側屋根パネル２の勾配方向上端部における下面を載せて、下がり勾配の途中で勾配が変わる中間凹部３を有する異種勾配屋根を支持することができる。
したがって、急勾配から緩勾配へと勾配が変わる中間凹部３を有する異種勾配屋根において、強度及び設計上の無理がなく、斜線制限に対応しつつ、急勾配の上側屋根パネル１と緩勾配の下側屋根パネル２との接合部を壁パネル４に安定的に支持させることができる。
【００８２】
そして、急勾配の上側屋根パネル１の勾配方向下端部と緩勾配の下側屋根パネル２の勾配方向上端部との間に棟木７・８を配置して、実施形態１とは逆に、急勾配から緩勾配へと勾配が変わる中間凹部３を形成することができる。
すなわち、急勾配の上側屋根パネル１の勾配方向下端部に上側屋根パネル結合棟木７を接合し、上側屋根パネル結合棟木７における下側屋根パネル側面と、緩勾配の下側屋根パネル２の勾配方向上端部に下側屋根パネル結合棟木８を接合して、急勾配から緩勾配へと勾配が変わる中間凹部３を形成することができる。
【００８３】
しかも、急勾配の上側屋根パネル１と緩勾配の下側屋根パネル２との接合部が壁パネル４の上方であっても製作誤差が生じにくく、中間凹部３を容易に形成できる。
【００８４】
さらに、急勾配の上側屋根パネル１と緩勾配の下側屋根パネル２との間において、上側屋根パネル結合棟木７と下側屋根パネル結合棟木８の上面による、接合状態の垂直面７ｂ・８ｂに沿って交差した垂直面７ｂ・８ｂの谷底部分によって、急勾配から緩勾配へと勾配が変わる中間凹部３を形成することができる。
また、設計上、上側屋根パネル結合棟木７と下側屋根パネル結合棟木８との垂直面７ｂ・８ｂによる分割線（面）が、壁パネル４の外側面の延長線Ｃ２上に一致しているため、上側屋根パネル結合棟木７と下側屋根パネル結合棟木８の勾配が変わっても、棟木の納まりの変更をしないで済む。
そして、上側屋根パネル結合棟木７と下側屋根パネル結合棟木８のいずれかに中間凹部を形成する手間を省くことができる。
【００８５】
その他、実施形態１と同様の作用効果を得ることができる。
【００８６】
なお、実施形態５のように、急勾配から緩勾配へと勾配が変わる中間凹部３を有する異種勾配屋根においても、前述した実施形態２から実施形態４と略同様の構造バリエーションが適用可能である。
【００８７】
（変形例）
以上の実施形態においては、切妻屋根において、片方の下がり勾配の勾配変化部（中間凸部又は中間凹部）を有する異種勾配屋根としたが、本発明はこれに限定されるものではなく、片流れ屋根のみであってもよい。
そして、実施形態では、下がり勾配の上側屋根パネルと下側パネルの接合部を支持する支持構造体を壁パネルとしたが、その他の支持構造体としては、開口部の上方に設けられた小壁パネルやまぐさや梁等であってもよい。
また、異種勾配屋根の下がり勾配の勾配変化部（中間凸部又は中間凹部）の位置は、接合部の頂点に相当する部位であればよく、どちらかの結合棟木の上面の位置でもよく、その他、具体的な細部構造、例えば屋根パネル結合桁、屋根パネル結合棟木、フック金物の形状等についても適宜に変更可能であることは勿論である。
さらに、上側屋根パネル結合棟木と下側屋根パネル結合棟木を一体に形成した状態の棟木を用いてもよい。
【符号の説明】
【００８８】
１  緩勾配の上側屋根パネル
２  急勾配の下側屋根パネル
３  勾配変化部（中間凸部、中間凹部）
４  支持構造体
５  上側屋根パネル結合桁
５ａ  傾斜上面
６  下側屋根パネル結合桁
６ａ  傾斜上面
７  上側屋根パネル結合棟木
７ｂ  垂直面
８  下側屋根パネル結合棟木
８ｂ  垂直面
１１  フック金物
１２  フック金物
１３・１４・１５・１６・１７  スクリュー釘
２１  急勾配の下側屋根パネル
２６  下側屋根パネル結合桁
２７  上側屋根パネル結合棟木
２８  下側屋根パネル結合棟木
３１  緩勾配の下側屋根パネル
３５  上側屋根パネル結合桁
３６  下側屋根パネル結合桁
３７  上側屋根パネル結合棟木
３８  下側屋根パネル結合棟木
４８  下側屋根パネル結合棟木
【図１】
2020143521.tif 000003
【図２】
2020143521.tif 000004
【図３】
2020143521.tif 000005
【図４】
2020143521.tif 000006
【図５】
2020143521.tif 000007
【図６】
2020143521.tif 000008
【図７】
2020143521.tif 000009
【図８】
2020143521.tif 000010
【図９】
2020143521.tif 000011
【図１０】
2020143521.tif 000012